(57)【要約】【課題】商品の提供者と顧客の双方にとって好ましい形で優待や特典等のサービスを提供する仕組みを実現する。【解決手段】優待情報管理装置１０は、顧客が優待の提供を希望する商品である優待希望商品を受け付け、優待の提供が可能な商品である優待対象商品のリストを管理し、受け付けた優待希望商品が優待対象商品であるか否かを条件として、上記顧客に優待希望商品についての優待を発行するか否かを判定する。より具体的には、優待情報管理装置１０は、上記顧客に対する優待希望商品についての優待の累積発行回数を記憶し、受け付けた優待希望商品が優待対象商品であり、かつ、上記顧客に対する優待希望商品についての優待の累積発行回数が予め設定された優待発行制限回数未満である場合に、上記顧客に優待希望商品についての優待を発行することを決定する。【選択図】図３
2016224538.tif 000002
【特許請求の範囲】
【請求項１】
情報処理装置を用いて実現される優待情報管理装置であって、
顧客が優待の提供を希望する商品である優待希望商品を受け付ける優待希望商品受付部と、
前記優待の提供が可能な商品である優待対象商品のリストを管理する優待対象商品管理部と、
受け付けた前記優待希望商品が前記優待対象商品であるか否かを条件として、前記顧客に前記優待希望商品についての前記優待を発行するか否かを判定する優待発行決定部と
を備える、優待情報管理装置。
【請求項２】
請求項１に記載の優待情報管理装置であって、
前記優待発行決定部は、
前記顧客に対する前記優待希望商品についての優待の累積発行回数を記憶し、
受け付けた前記優待希望商品が前記優待対象商品であり、かつ、前記顧客に対する前記優待希望商品についての優待の前記累積発行回数が予め設定された優待発行制限回数未満である場合に、前記顧客に前記優待希望商品についての優待を発行することを決定する
優待情報管理装置。
【請求項３】
請求項２に記載の優待情報管理装置であって、
前記優待発行制限回数が１回である
優待情報管理装置。
【請求項４】
請求項１乃至３のいずれか一項に記載の優待情報管理装置であって、
顧客が操作する情報処理装置である顧客端末と通信可能に接続し、
前記優待希望商品受付部は、前記顧客端末から前記優待希望商品を受け付け、
前記優待発行決定部が前記優待希望商品について前記優待を発行すると判定した場合にその旨を示す情報である優待発行決定通知を前記顧客端末に送信する優待発行決定通知部をさらに備える
優待情報管理装置。
【請求項５】
請求項４に記載の優待情報管理装置であって、
前記優待対象商品管理部は、前記優待対象商品のリストとともに、前記優待対象商品の夫々を取り扱っている店舗を特定する情報を管理し、
前記優待発行決定通知部は、優待を発行すると判定した前記優待希望商品を取り扱っている店舗を特定する情報を前記顧客端末に送信する
優待情報管理装置。
【請求項６】
請求項１乃至３のいずれか一項に記載の優待情報管理装置であって、
前記優待希望商品受付部が、前記優待希望商品を特定可能な画像の情報を含む画像データを受け付け、
前記画像データに基づき前記優待希望商品を特定する優待希望商品特定部をさらに備える
優待情報管理装置。
【請求項７】
請求項６に記載の優待情報管理装置であって、
前記画像データは、前記優待希望商品のコード番号を表わすバーコードの画像を含む
優待情報管理装置。
【請求項８】
請求項１乃至３のいずれか一項に記載の優待情報管理装置であって、
顧客が操作する情報処理装置である顧客端末と通信可能に接続し、
前記顧客端末を介して、優待が発行された前記優待希望商品について複数の前記顧客の夫々が行った評価指標を取得し、前記複数の顧客の夫々による前記評価指標の平均値を求める商品評価取得部と、
前記優待希望商品の前記評価指標の平均値を前記顧客端末に送信する商品評価提供部と
をさらに備える、優待情報管理装置。
【請求項９】
請求項８に記載の優待情報管理装置であって、
前記優待対象商品管理部は、前記顧客端末を操作する前記顧客が前記優待希望商品の夫々について既に優待が発行されているか否かを示す情報を管理し、
前記商品評価提供部は、前記情報を付帯させた前記優待希望商品のリストを前記顧客端末に送信する
優待情報管理装置。
【請求項１０】
情報処理装置を用いて実現される優待情報管理装置が、
顧客が優待の提供を希望する商品である優待希望商品を受け付けるステップ、
前記優待の提供が可能な商品である優待対象商品のリストを管理するステップ、及び、
受け付けた前記優待希望商品が前記優待対象商品であるか否かを条件として、前記顧客に前記優待希望商品についての前記優待を発行するか否かを判定するステップと、
を実行する、優待情報管理方法。
【請求項１１】
請求項１０に記載の優待情報管理方法であって、
前記優待情報管理装置が、
前記顧客に対する前記優待希望商品についての優待の累積発行回数を記憶するステップ、及び、
受け付けた前記優待希望商品が前記優待対象商品であり、かつ、前記顧客に対する前記優待希望商品についての優待の前記累積発行回数が予め設定された優待発行制限回数未満である場合に、前記顧客に前記優待希望商品についての優待を発行することを決定するステップ、
をさらに実行する、優待情報管理方法。
【請求項１２】
請求項１０又は１１に記載の優待情報管理方法であって、
前記優待情報管理装置は、顧客が操作する情報処理装置である顧客端末と通信可能に接続し、
前記優待情報管理装置が、
前記顧客端末から前記優待希望商品を受け付けるステップ、及び、
前記優待希望商品について前記優待を発行すると判定した場合にその旨を示す情報である優待発行決定通知を前記顧客端末に送信するステップ
をさらに実行する、優待情報管理方法。
【請求項１３】
請求項１２に記載の優待情報管理方法であって、
前記優待情報管理装置が、
前記優待対象商品のリストとともに、前記優待対象商品の夫々を取り扱っている店舗を特定する情報を管理するステップ、及び、
優待を発行すると判定した前記優待希望商品を取り扱っている店舗を特定する情報を前記顧客端末に送信するステップ
をさらに実行する、優待情報管理方法。
【請求項１４】
請求項１０又は１１に記載の優待情報管理方法であって、
前記優待情報管理装置が、
前記優待希望商品を特定可能な画像の情報を含む画像データを受け付けるステップ、及び、
前記画像データに基づき前記優待希望商品を特定するステップ
をさらに実行する、優待情報管理方法。
【請求項１５】
請求項１０又は１１に記載の優待情報管理方法であって、
前記優待情報管理装置は、顧客が操作する情報処理装置である顧客端末と通信可能に接続し、
前記優待情報管理装置が、
前記顧客端末を介して、優待が発行された前記優待希望商品について複数の前記顧客の夫々が行った評価指標を取得し、前記複数の顧客の夫々による前記評価指標の平均値を求めるステップ、及び、
前記優待希望商品の前記評価指標の平均値を前記顧客端末に送信するステップ
をさらに実行する、優待情報管理方法。
【発明の詳細な説明】
【技術分野】
【０００１】
本発明は、優待情報管理装置、及び優待情報管理方法に関する。
【背景技術】
【０００２】
特許文献１には、「電子商取引に関し、ユーザの要求に合致した特典を提供することにより、当該特典に関わる商品等の売り上げの向上を図る」、「商取引管理装置は、販売対象の商品を示す商品情報の登録を複数の店舗から受け付けると共に、登録された商品情報に示される商品の購入の申込をユーザから受け付ける商取引管理装置であって、一の店舗により登録された商品に関してユーザが希望する販売条件を含む要求情報をユーザから受け付けると共に、要求情報記憶手段に該要求情報を記憶させる要求受付手段と、要求受付手段により受け付けられた要求情報に含まれる販売条件を受諾するか否かを一の店舗から取得した情報に基づいて決定する決定手段と、決定手段により販売条件を受諾することが決定された場合に、当該商品情報に示される商品の販売に関する所定の処理を当該ユーザに対して実行する実行手段とを備える」と記載されている。
【先行技術文献】
【特許文献】
【０００３】
【特許文献１】特開２０１３−５０８１５号公報
【発明の概要】
【発明が解決しようとする課題】
【０００４】
特許文献１に記載されている商取引管理装置は、ユーザに特典を提供するにあたりユーザが希望する販売条件を店舗側が受諾する必要があり、店舗側が受諾可能な範囲を少しでも超えた販売条件をユーザが提示した場合、ユーザは特典を受けることができない。これはユーザの希望に応えることができないだけでなく、商品の提供者側にとっては販売機会の喪失（ロス）に繋がることになる。
【０００５】
本発明は、商品の提供者と顧客の双方にとって好ましい形で優待や特典等のサービスを提供する仕組みを実現することが可能な、優待情報管理装置、及び優待情報管理方法を提供することを目的としている。
【課題を解決するための手段】
【０００６】
本発明のうちの一つは、情報処理装置を用いて実現される優待情報管理装置であって、顧客が優待の提供を希望する商品である優待希望商品を受け付ける優待希望商品受付部と、前記優待の提供が可能な商品である優待対象商品のリストを管理する優待対象商品管理部と、受け付けた前記優待希望商品が前記優待対象商品であるか否かを条件として、前記顧客に前記優待希望商品についての前記優待を発行するか否かを判定する優待発行決定部とを備える。
【０００７】
その他、本願が開示する課題、及びその解決方法は、発明を実施するための形態の欄、及び図面により明らかにされる。
【発明の効果】
【０００８】
本発明によれば、商品の提供者と顧客の双方にとって好ましい形で優待や特典等のサービスを提供する仕組みを実現することができる。
【図面の簡単な説明】
【０００９】
【図１】実施例１の優待提供システム１の概略的な構成を示す図である。
【図２】情報処理装置１００（コンピュータ）の構成例である。
【図３】実施例１の優待情報管理装置１０が備える主な機能、並びに優待情報管理装置１０が記憶する主なデータを示す図である。
【図４】実施例１の顧客端末２０が備える主な機能を示す図である。
【図５】優待希望商品入力画面５００の一例である。
【図６】顧客情報１２１の一例である。
【図７】商品情報１２２の一例である。
【図８】優待情報１２３の一例である。
【図９】優待発行決定処理Ｓ９００を説明するフローチャートである。
【図１０】実施例２の優待提供システム１の概略的な構成を示す図である。
【図１１】実施例２の優待情報管理装置１０Ａが備える主な機能、並びに優待情報管理装置１０Ａが記憶する主なデータを示す図である。
【図１２】実施例２の顧客端末２０Ａが備える主な機能を示す図である。
【図１３】商品情報１２２Ａの一例である。
【図１４】優待希望商品入力画面５００Ａの一例である。
【図１５】優待発行決定処理Ｓ１５００を説明するフローチャートである。
【図１６】実施例３の優待情報管理装置１０Ｂが備える主な機能、並びに優待情報管理装置１０Ｂが記憶する主なデータを示す図である。
【図１７】実施例３の顧客端末２０Ｂが備える主な機能を示す図である。
【図１８】評価履歴１２４の一例である。
【図１９】商品評価１２５の一例である。
【図２０】商品評価入力表示画面２０００の一例である。
【発明を実施するための形態】
【００１０】
以下、実施形態について図面とともに説明する。以下の説明において、同一または類似の部分に同一の符号を付して重複する説明を省略することがある。また以下の説明において、優待や特典等の商品の提供者や供給者が商品の提供を受ける顧客（ユーザ）に提供するサービスのことを「優待」と総称する。
【実施例１】
【００１１】
図１に、実施例１として説明する優待提供システム１の概略的な構成を示している。同図に示すように、優待提供システム１は、通信ネットワーク５を介して通信可能に接続された、顧客端末２０と優待情報管理装置１０とを含む。顧客端末２０及び優待情報管理装置１０は、いずれも情報処理装置（コンピュータ）や専用のハードウェアを用いて構成されている。優待情報管理装置１０及び顧客端末２０は、通信可能に接続された複数の情報処理装置を用いて実現してもよい。通信ネットワーク５は、例えば、公衆通信網、ＬＡＮ（Local Area Network）、ＷＡＮ（Wide Area Network）等であり、有線／無線の区別を問わない。
【００１２】
優待情報管理装置１０は、例えば、商品の提供者によって運用される。優待情報管理装置１０は、例えば、システムセンタやデータセンタに設置された情報処理装置を用いて実現される。優待情報管理装置１０は、クラウドサーバ等として仮想的に実現されるものであってもよい。
【００１３】
顧客端末２０は、顧客によって操作される情報処理装置であり、例えば、スマートフォンや携帯電話機等の携帯情報端末、パーソナルコンピュータ等である。顧客端末２０は、例えば、店舗等に設置された端末装置であってもよい。
【００１４】
優待情報管理装置１０は、顧客端末２０を介して、顧客が優待（例えば、ポイント加算や割引等）の提供を希望する商品である優待希望商品を受け付ける。優待情報管理装置１０は、優待の提供が可能な商品（以下、優待対象商品と称する。）のリストを管理する。優待情報管理装置１０は、受け付けた優待希望商品が優待対象商品であり、かつ、顧客に対する優待希望商品についての優待の累積発行回数が予め設定された優待発行制限回数未満である場合に、顧客に優待希望商品についての優待を発行することを決定する。
【００１５】
図２は、優待情報管理装置１０や顧客端末２０の実現に用いる情報処理装置１００（コンピュータ）の構成例である。同図に示すように、情報処理装置１００は、プロセッサ１０１、主記憶装置１０２、補助記憶装置１０３、入力装置１０４、出力装置１０５、及び通信装置１０６を備える。これらは図示しないバス等の通信手段を介して互いに通信可能に接続されている。
【００１６】
プロセッサ１０１は、例えば、ＣＰＵ（Central Processing Unit）やＭＰＵ（Micro Processing Unit）を用いて構成される。プロセッサ１０１が、主記憶装置１０２に格納されているプログラムを読み出して実行することにより、情報処理装置１００の様々な機能が実現される。
【００１７】
主記憶装置１０２は、プログラムやデータを記憶する装置であり、例えば、ＲＯＭ（Read Only Memory）、ＲＡＭ（Random Access Memory）、ＮＶＲＡＭ（Non Volatile RAM）等である。補助記憶装置１０３は、ハードディスクドライブ、ＳＳＤ（Solid State Drive）、光学式記憶装置、記録媒体読取／書込装置等である。補助記憶装置１０３に格納されているプログラムやデータは主記憶装置１０２に随時ロードされる。
【００１８】
入力装置１０４は、例えば、キーボード、マウス、タッチパネル等である。出力装置１０５は、例えば、液晶モニタ、ＬＣＤ（Liquid Crystal Display）、グラフィックカード等である。通信装置１０６は、通信ネットワーク５を介して他の装置と通信する通信インタフェースであり、例えば、ＮＩＣ（Network Interface Card）、無線通信モジュール等である。
【００１９】
図３に優待情報管理装置１０が備える主な機能、並びに優待情報管理装置１０が記憶する主なデータを示している。同図に示すように、優待情報管理装置１０は、データ処理部１１０及び記憶部１２０を備える。またデータ処理部１１０は、優待希望商品受付部１１１、優待対象商品管理部１１２、優待情報管理部１１３、優待発行決定部１１４、及び優待発行決定通知部１１５を備える。これらの機能は、例えば、情報処理装置１００のプロセッサ１０１が、主記憶装置１０２に格納されているプログラムを読み出して実行することにより実現される。
【００２０】
記憶部１２０は、顧客情報１２１、商品情報１２２、及び優待情報１２３を記憶する。記憶部１２０は、これらの情報（データ）を、例えば、テキストファイルやＲＤＢＭＳ（Relational DataBase Management System）等のデータベースのテーブルとして管理する。
【００２１】
優待希望商品受付部１１１は、顧客が優待を希望する商品（以下、優待希望商品と称する。）、より具体的には優待希望商品の識別子（以下、商品ＩＤと称する）を、顧客の識別子（以下、顧客ＩＤと称する。）とともに顧客端末２０から受け付ける。
【００２２】
優待対象商品管理部１１２は、優待対象商品のリストを商品情報１２２として管理する。上記リストは、例えば、商品の提供者によって提供される。
【００２３】
優待情報管理部１１３は、優待希望商品についての優待の発行状況等に関する情報（以下、優待情報と称する。）を優待情報１２３として管理する。
【００２４】
優待発行決定部１１４は、受け付けた優待希望商品が優待対象商品であり、かつ、顧客に対する優待希望商品についての優待の累積発行回数が予め設定された優待発行制限回数未満である場合に、顧客に優待希望商品についての優待を発行することを決定する。
【００２５】
優待発行決定部１１４は、例えば、優待希望商品受付部１１１が顧客から優待希望商品を受け付けた際に上記決定を行う。また優待発行決定部１１４は、例えば、優待希望商品受付部１１１が顧客から受け付けた優待希望商品の数が予め設定された所定数蓄積された際に上記決定を行う。また優待発行決定部１１４は、例えば、予め決められた時間間隔で上記決定を行う。後二者のように、受け付けた複数の優待希望商品の夫々についての上記決定を一括して行うことで、優待情報管理装置１０の負荷軽減を図ることができる。
【００２６】
優待発行決定通知部１１５は、優待発行決定部１１４が優待希望商品について優待を発行することを決定した場合、優待を発行することを決定した旨を示す情報（以下、優待発行決定通知と称する。）を顧客端末２０や優待提供システム１と連携して動作する電子商取引システム等に送信する。優待発行決定通知は、優待を受ける顧客の顧客ＩＤ、及び優待希望商品の商品ＩＤを含む。これにより顧客は、優待希望商品について優待を発行することが決定された旨を知ることができるととともに、優待希望商品について少なくとも１回は優待を受けることが可能となる。また優待発行決定通知部１１５は、優待を発行することを決定する事ができなかった場合、その旨を示す情報（以下、優待発行不許可通知と称する。）を顧客端末２０や電子商取引システム等に送信する。
【００２７】
図４に顧客端末２０が備える主な機能を示している。同図に示すように、顧客端末２０は、優待希望受付送信部２１１並びに優待発行決定通知受信部２１２を備える。これらの機能は、例えば、情報処理装置１００のプロセッサ１０１が、主記憶装置１０２に格納されているプログラムを読み出して実行することにより実現される。
【００２８】
優待希望受付送信部２１１は、顧客から優待希望商品を当該顧客の顧客ＩＤとともに入力装置１０４を介して受け付け、受け付けた優待希望商品の商品ＩＤを上記顧客ＩＤとともに優待情報管理装置１０に送信する。
【００２９】
図５は優待希望受付送信部２１１が顧客から優待希望商品を受け付ける際に出力装置１０５に表示する画面（以下、優待希望商品入力画面５００と称する。）の一例である。同図に示すように、優待希望商品入力画面５００は、顧客ＩＤの入力欄５１１、商品名の入力欄５１２、及び入力確定操作部５１３を含む。顧客が顧客ＩＤの入力欄５１１に顧客ＩＤを、商品名の入力欄５１２に優待希望商品の商品名を入力した後、入力確定操作部５１３を操作すると、優待希望受付送信部２１１は、入力された顧客ＩＤ及び入力された商品名に対応する商品ＩＤを優待情報管理装置１０に送信する。優待希望受付送信部２１１は、商品名から商品ＩＤへの変換を、例えば、優待情報管理装置１０から提供される、商品名と商品ＩＤとを対応させたテーブルを用いて行う。優待希望受付送信部２１１から優待情報管理装置１０に商品名を送信し、優待情報管理装置１０にて商品名から商品ＩＤへの変換を行うようにしてもよい。優待希望商品入力画面５００に検索機能やドロップダウン機能等を設けて顧客が優待希望商品を入力する際の負荷軽減を図るようにしてもよい。
【００３０】
図４に戻り、優待発行決定通知受信部２１２は、優待情報管理装置１０から送信されてくる優待発行決定通知または優待発行不許可通知を受信する。優待発行決定通知受信部２１２は、優待希望商品について優待を発行することが決定された旨や優待を発行する事ができない旨、優待発行決定通知もしくは優待発行不許可通知に含まれている情報（優待を受ける顧客の顧客ＩＤ、優待希望商品の商品ＩＤ等）等を、出力装置１０５に表示する。
【００３１】
図６は優待情報管理装置１０の記憶部１２０がデータベースのテーブルとして管理する顧客情報１２１の一例である。顧客情報１２１には顧客に関する情報が管理される。優待情報管理装置１０は、例えば、顧客ごとに優待情報を管理するにあたり顧客情報１２１を利用する。また優待情報管理装置１０は、例えば、優待情報管理装置１０や顧客端末２０を利用するユーザの認証情報として顧客情報１２１を利用する。
【００３２】
顧客情報１２１の内容は、例えば、顧客が顧客端末２０を介して設定する。同図に示すように、顧客情報１２１は、顧客ＩＤ６１１、顧客名６１２、及び属性情報６１３の各項目を有する一つ以上のレコードで構成されている。一のレコードは一の顧客に対応している。顧客ＩＤ６１１には顧客ＩＤが設定される。顧客名６１２には顧客名が設定される。属性情報６１３には顧客の性別や顧客が居住する地区等、顧客に関する情報が設定される。
【００３３】
図７は優待情報管理装置１０の記憶部１２０がデータベースのテーブルとして管理する商品情報１２２の一例である。商品情報１２２には、優待対象商品に関する情報が管理される。優待発行決定部１１４は、例えば、優待希望商品が優待対象商品であるか否かを判定する際に商品情報１２２を利用する。商品情報１２２は、例えば、商品の提供者によって提供される。同図に示すように、商品情報１２２は、商品ＩＤ７１１、商品名７１２、商品カテゴリ７１３、及び提供者名７１４の各項目を有する一つ以上のレコードで構成されている。各レコードは１つの優待対象商品に対応している。商品ＩＤ７１１には、優待対象商品の商品ＩＤが設定される。商品名７１２には、優待対象商品の商品名が設定される。商品カテゴリ７１３には、優待対象商品が属するカテゴリを示す情報が設定される。提供者名７１４には、優待対象商品の提供元の名称が設定される。
【００３４】
図８は優待情報管理装置１０の記憶部１２０がデータベースのテーブルとして管理する優待情報１２３の一例である。優待情報１２３には、前述した優待情報が管理される。同図に示すように、優待情報１２３は、顧客ＩＤ８１１、顧客名８１２、商品ＩＤ８１３、商品名８１４、受付日時８１５、優待提供日時８１６、及び優待利用日時８１７の各項目を有する一つ以上のレコードで構成されている。各レコードは一の優待希望商品に対応している。顧客ＩＤ８１１には顧客ＩＤが設定される。顧客名８１２には顧客の名称が設定される。商品ＩＤ８１３には優待希望商品の商品ＩＤが設定される。商品名８１４には優待希望商品の商品名が設定される。受付日時８１５には、優待希望商品受付部１１１が当該優待希望商品を受け付けた日時が設定される。優待提供日時８１６には、優待情報管理装置１０が当該優待希望商品について優待の提供を開始した日時（例えば、優待発行決定通知部１１５が、顧客端末２０や電子商取引システム等に優待発行決定通知を送信した日時）が設定される。優待利用日時８１７には、優待を顧客が利用した日時（例えば、顧客が優待を利用して商品を購入した日時等）が設定される。
【００３５】
＜処理説明＞
続いて、以上に説明した構成からなる優待提供システム１において行われる処理について説明する。
【００３６】
図９は、優待情報管理装置１０が行う処理（以下、優待発行決定処理Ｓ９００と称する。）を説明するフローチャートである。以下、同図とともに優待発行決定処理Ｓ９００について説明する。
【００３７】
優待希望商品受付部１１１は、顧客端末２０から送られてくる顧客ＩＤ及び優待希望商品（優待希望商品の商品ＩＤ）を受け付ける（Ｓ９０１）。優待情報管理部１１３は、受け付けた優待希望商品に対応するレコードを優待情報１２３に登録し、上記レコードの受付日時８１５に現在日時を設定する（Ｓ９０２）。
【００３８】
続いて、優待発行決定部１１４が、受け付けた優待希望商品の商品ＩＤを商品情報１２２と対照し、受け付けた優待希望商品が優待対象商品であるか否かを判定する（Ｓ９０３）。受け付けた優待希望商品が優待対象商品である場合は（Ｓ９０３：ＹＥＳ）Ｓ９０４に進み、受け付けた優待希望商品が優待対象商品でない場合は（Ｓ９０３：ＮＯ）Ｓ９０５に進む。
【００３９】
Ｓ９０４では、優待発行決定部１１４が、Ｓ９０１で受け付けた顧客ＩＤの顧客の優待希望商品についての過去の優待発行回数が、予め定められた優待発行制限回数未満であるか判定する。上記優待発行回数が優待発行制限回数未満である場合は（Ｓ９０４：ＹＥＳ）Ｓ９０７に進み、上記優待発行回数が優待発行制限回数以上である場合は（Ｓ９０４：ＮＯ）Ｓ９０５に進む。
【００４０】
Ｓ９０５では、優待発行決定通知部１１５が、優待発行不許可通知を顧客端末２０や電子商取引システム等に送信する。Ｓ９０６では、優待発行決定部１１４が、Ｓ９０２で登録したレコードを優待情報１２３から削除する。
【００４１】
Ｓ９０７では、優待発行決定通知部１１５が、優待発行決定通知を顧客端末２０や電子商取引システム等に送信する。また優待発行決定通知部１１５は、優待発行決定通知を送信した日時をＳ９０２で優待情報１２３に登録したレコードの優待提供日時８１６に設定する。その後、顧客端末２０や電子商取引システム等を介して顧客が当該優待希望商品について実際に優待を受けると、その旨並びに優待を受けた日時が通信ネットワーク５を介して優待情報管理装置１０に通知され、優待情報管理装置１０は、上記レコードの優待利用日時８１７に優待を受けた上記日時を設定する。
【００４２】
以上に説明したように、優待提供システム１は、受け付けた優待希望商品が優待対象商品であり、かつ、顧客に対する優待希望商品についての優待の累積発行回数が予め設定された優待発行制限回数未満である場合、顧客に優待希望商品についての優待を発行することを決定する。このため、顧客は上記条件が満たされる限り、提供者側の受諾条件等を気にすることなく、当該商品の優待を少なくとも１回は受けることができる。また上記条件により同一顧客の同一商品に対する優待発行回数が制限されることで、提供者は商品の宣伝コストを抑えつつ自身が提供する様々な商品を顧客に試してもらうことができる。尚、優待発行制限回数を１回に設定することで提供者は宣伝コストを最小に抑えることができる。このように、優待提供システム１によれば、商品の提供者と顧客の双方にとって好ましい形で優待や特典等のサービスを提供する仕組みを実現することができる。
【実施例２】
【００４３】
実施例１の優待提供システム１は、優待希望商品入力画面５００に優待希望商品の商品名を入力させることにより優待希望商品を受け付ける構成であった。これに対し、以下に説明する実施例２の優待提供システム１は、優待希望商品を特定可能な画像（優待希望商品を撮影した画像、優待希望商品に付されているコード番号やバーコードを撮影した画像）の情報を含む画像データに基づき優待希望商品を受け付けることができる。また実施例２の優待提供システム１は、優待希望商品を取り扱っている店舗の情報を顧客に提供する。以下、実施例１と同一の符号を付した構成については実施例１と同様であるので説明を省略し、実施例１との相違点を中心として実施例２の優待提供システム１について説明する。
【００４４】
図１０に実施例２の優待提供システム１の概略的な構成を示している。同図に示すように、実施例２の優待提供システム１は、実施例１の構成に加え、地域に存在する店舗に設置された情報処理装置である一以上の店舗端末３０が優待情報管理装置１０Ａと通信ネットワーク５を介して通信可能に接続する構成をさらに含む。
【００４５】
図１１に実施例２の優待情報管理装置１０Ａが備える主な機能、並びに優待情報管理装置１０Ａが記憶する主なデータを示している。同図に示すように、実施例２の優待情報管理装置１０Ａは、実施例１の優待情報管理装置１０の構成に加え、データ処理部１１０が優待希望商品特定部１１６をさらに備える。またデータ処理部１１０は、優待発行決定通知部１１５の代わりに優待発行決定通知部１１５Ａを備える。また記憶部１２０は、商品情報１２２の代わりに商品情報１２２Ａを備える。
【００４６】
図１２に実施例２の顧客端末２０Ａが備える主な機能を示している。同図に示すように、実施例２の顧客端末２０Ａは、実施例１における顧客端末２０の優待希望受付送信部２１１の代わりに優待希望受付送信部２１１Ａを備える。
【００４７】
図１０に示す店舗端末３０は、例えば、図２に示した情報処理装置１００のハードウェア構成を有する。店舗端末３０は、通信ネットワーク５を介して優待情報管理装置１０Ａと通信し、当該店舗端末３０が設置されている店舗が取り扱っている商品を特定する情報（以下、取扱商品情報と称する。）を優待情報管理装置１０Ａに随時送信する。優待情報管理装置１０Ａは、店舗端末３０から受信した取扱商品情報から特定される商品を優待対象商品として商品情報１２２Ａに管理する。
【００４８】
図１３に商品情報１２２Ａの一例を示す。実施例１における商品情報１２２のレコードの各項目に加え、実施例２の商品情報１２２Ａのレコードは、コード番号７１５並びに取扱店舗７１６の各項目をさらに有する。コード番号７１５には、当該レコードの優待希望商品を特定する情報（例えば、バーコード番号等のコード番号）が設定される。取扱店舗７１６には、店舗名や店舗の所在等の店舗を特定する情報が設定される。優待情報管理装置１０Ａが商品情報１２２Ａを店舗ごとに異なるテーブルとして管理する構成としてもよい。
【００４９】
顧客端末２０Ａの優待希望受付送信部２１１Ａは、優待希望商品の商品名に加え、画像による優待希望商品の入力を受付ける。優待希望受付送信部１０Ａは、顧客から受け付けた優待希望商品の名称、または優待希望商品を特定可能な画像（優待希望商品を撮影した画像、優待希望商品に付されているコード番号やバーコードを撮影した画像）の情報を含む画像データを優待情報管理装置１０Ａに送信する。上記画像の情報は静止画の情報に限らず動画の情報であってもよい。顧客端末２０Ａにカメラ等の撮影装置を接続し、撮影装置によって撮影した画像を優待情報管理装置１０Ａに送信するようにしてもよい。
【００５０】
図１４は、優待希望商品を受け付ける際に顧客端末２０Ａが表示する画面（以下、優待希望商品入力画面５００Ａと称する。）の一例である。同図に示すように、優待希望商品入力画面５００Ａは、顧客ＩＤの入力欄５１１、優待希望商品の商品名の入力欄５１２、及び入力確定操作部５１３に加え、画像データのファイル名の指定欄５１４を含む。顧客が商品名の入力欄５１２または画像データの指定欄５１４に内容を入力して入力確定操作部５１３を操作すると、商品名の入力欄５１２に入力された商品名または画像データの指定欄５１４に指定された画像データが優待情報管理装置１０Ａに送信される。
【００５１】
図１１に示す優待希望商品特定部１１６は、顧客端末２０Ａから受信した優待希望商品を特定するデータが画像データである場合、当該画像データに基づき優待希望商品の商品ＩＤを特定する。例えば、画像データが優待希望商品に付されているバーコードを撮影したデータである場合、優待希望商品特定部１１６は、画像データから特定されるバーコード番号と商品情報１２２Ａのコード番号７１５とを対照することにより商品ＩＤ７１１を取得する。また例えば、画像データが優待希望商品を撮影したデータである場合、例えば、当該データと予め記憶しておいた商品の画像データとの間の類似度があらかじめ設定された閾値以上である場合に予め記憶しておいた上記画像の商品であると判定して当該商品の商品ＩＤを特定する。画像データから商品ＩＤを特定することができなかった場合、優待希望商品特定部１１６は、その旨を顧客端末２０Ａに通知する。これにより顧客は優待情報管理装置１０Ａが商品名を特定することができなかったことを知ることができる。
【００５２】
優待発行決定通知部１１５Ａは、優待発行決定部１１４が優待希望商品について優待を発行することを決定した場合、優待発行決定通知を顧客端末２０Ａや電子商取引システム等に送信する。優待発行決定通知は、優待を受ける顧客の顧客ＩＤ、優待希望商品の商品ＩＤ、及び優待希望商品を取扱っている店舗を示す情報（取扱店舗７１６）を含む。これにより顧客は、優待希望商品について優待を発行することが決定された旨を知ることができるととともに、優待希望商品について少なくとも１回は優待を受けることが可能となる。また顧客は優待希望商品を取り扱っている店舗がいずれの店舗であるのかを事前に知ることができ、商品を取り扱っていない店舗に無駄足を踏むことがなくなる。優待発行決定通知部１１５Ａは、優待を発行することを決定する事ができなかった場合、優待発行不許可通知を顧客端末２０Ａや電子商取引システム等に送信する。
【００５３】
＜処理説明＞
図１５は、実施例２の優待情報管理装置１０Ａが行う処理（以下、優待発行決定処理Ｓ１５００と称する。）を説明するフローチャートである。以下、同図とともに優待発行決定処理Ｓ１５００について説明する。尚、図９の優待発行決定処理Ｓ９００と同一の符号を付した処理については、図９の優待発行決定処理Ｓ９００と同様であるので詳細な説明は省略する。
【００５４】
優待希望商品受付部１１１は、顧客端末２０Ａから送られてくる顧客ＩＤ、及び優待希望商品を特定する情報（優待希望商品の商品ＩＤまたは画像データ）を受け付ける（Ｓ９０１）。
【００５５】
Ｓ１５０８では、優待希望商品特定部１１６が、Ｓ９０１で受け付けた優待希望商品について、顧客端末２０Ａから受け付けた優待希望商品を特定する情報が商品ＩＤであるか画像データであるか判定する。優待希望商品を特定する情報が商品ＩＤである場合は（Ｓ１５０８：商品ＩＤ）Ｓ９０２に進み、優待希望商品を特定する情報が画像データである場合は（Ｓ１５０８：画像データ）Ｓ１５０９に進む。
【００５６】
Ｓ１５０９では、優待希望商品特定部１１６は、画像データに基づき商品ＩＤを特定可能か否かを判定する。商品ＩＤを特定可能と判定した場合は（Ｓ１５０９：ＹＥＳ）商品ＩＤを特定し（Ｓ１５１０）、Ｓ９０２に進む。一方、画像データに基づき商品ＩＤを特定することができないと判定した場合は（Ｓ１５０９：ＮＯ）、優待希望商品特定部１１６は、商品ＩＤを特定することができない旨を顧客端末２０Ａに通知する（Ｓ１５１１）。顧客端末２０Ａは、上記通知を受けると、例えば、出力装置１０５にその旨を表示する。
【００５７】
Ｓ１５０７では、優待発行決定通知部１１５Ａが、優待を受ける顧客の顧客ＩＤ、優待希望商品の商品ＩＤ、及び優待希望商品を取扱っている店舗を示す情報（取扱店舗７１６）を含む優待発行決定通知を顧客端末２０Ａに送信する。
【００５８】
その後、顧客端末２０Ａや電子商取引システム等を介して顧客が当該優待希望商品について実際に優待を受けると、その旨並びに優待を受けた日時が通信ネットワーク５を介して優待情報管理装置１０Ａに通知され、優待情報管理装置１０Ａは上記レコードの優待利用日時８１７に上記優待を受けた日時を設定する。
【００５９】
以上に説明したように、実施例２の優待提供システム１によれば、顧客は、商品名や商品ＩＤを直接入力することなく、画像データに基づき優待希望商品を指定することができる。このため、顧客は簡便に顧客端末２０Ａに優待希望商品を入力することができる。また例えば、商品名が母国語以外で記載された言語である場合、顧客の入力の負荷を軽減することができる。また顧客は優待希望商品を取り扱っている店舗の情報を事前に入手することができるため、商品を取り扱っていない店舗に無駄足を踏むことがなく、効率よく商品を取得することができる。
【実施例３】
【００６０】
実施例３の優待提供システム１は、実施例２の優待提供システム１の構成に加え、商品の評価に関する情報を顧客に提供する仕組みをさらに備える。
【００６１】
図１６に実施例３の優待情報管理装置１０Ｂが備える主な機能、並びに優待情報管理装置１０Ｂが記憶する主なデータを示している。同図に示すように、実施例３の優待情報管理装置１０Ｂは、実施例２の優待情報管理装置１０Ａの構成に加え、データ処理部１１０が、商品評価管理部１１７と商品評価提供部１１８とをさらに備える。また記憶部１２０は、評価履歴１２４と商品評価１２５とをさらに記憶する。
【００６２】
図１７に実施例３の顧客端末２０Ｂが備える主な機能を示す。同図に示すように、実施例３の顧客端末２０Ｂは、実施例２における顧客端末２０Ａの構成に加え、商品評価出力部２１３と商品評価入力部２１４とをさらに備える。
【００６３】
図１８は優待情報管理装置１０Ｂの記憶部１２０がデータベースのテーブルとして管理する評価履歴１２４の一例である。評価履歴１２４には、顧客が優待が発行された優待希望商品について行った評価に関する情報（以下、評価情報と称する。）が管理される。同図に示すように、評価履歴１２４は、顧客ＩＤ１８１１、顧客名１８１２、商品ＩＤ１８１３、商品名１８１４、評価日１８１５、及び評価点１８１６の各項目を有する一つ以上のレコードで構成されている。評価履歴１２４の各レコードは一の商品に対応している。顧客ＩＤ１８１１には顧客ＩＤが設定される。顧客名１８１２には顧客名が設定される。商品ＩＤ１８１３には商品ＩＤが設定される。商品名１８１４には商品名が設定される。評価日時１８１５には当該商品について顧客が評価を行った日時が設定される。評価点１８１６には当該商品について顧客が入力した評価指標である評価点が設定される。
【００６４】
図１９は優待情報管理装置１０Ｂの記憶部１２０がデータベースのテーブルとして管理する商品評価１２５の一例である。商品評価１２５には、評価履歴１２４に管理されている各商品の評価点１８１６の平均値が管理される。同図に示すように、商品評価１２５は、商品ＩＤ１９１１、商品名１９１２、商品カテゴリ１９１３、評価点平均値１９１４の各項目を有する一つ以上のレコードで構成されている。商品評価１２５の各レコードは一の商品に対応している。商品ＩＤ１９１１には商品ＩＤが設定される。商品名１９１２には商品名が設定される。商品カテゴリ１９１３には当該商品が属するカテゴリが設定される。評価点平均値１９１４には当該商品の評価点１８１６の平均値（複数の顧客の同一商品についての評価点１８１６の平均値）が設定される。
【００６５】
図２０は顧客から商品の評価の入力を受け付ける際または商品の評価を提示する際に顧客端末２０Ｂが出力装置１０５に表示する商品評価入力表示画面２０００の一例である。同図に示すように、商品評価入力表示画面２０００は、商品カテゴリの入力領域２０２１、商品評価取得操作部２０２２、及び商品評価入力表示領域２０２３を含む。
【００６６】
顧客端末２０Ｂの商品評価入力部２１４は、商品評価入力表示領域２０２３に表示されている商品の一つが選択されると、当該商品の評価点の入力を受付け、入力された評価点を、評価を行った顧客の顧客ＩＤ、顧客名、当該商品の商品ＩＤ、商品名、及び評価日時等とともに優待情報管理装置１０Ｂに送信する。
【００６７】
顧客端末２０Ｂの商品評価出力部２１３は、商品評価入力表示画面２０００の商品評価取得操作部２０２２が操作されると、商品カテゴリ入力領域２０２１に入力された商品カテゴリとともに商品評価の提供要求を優待情報管理装置１０Ｂに送信する。商品カテゴリ入力領域２０２１への入力は、商品カテゴリ名を直接入力することにより行えるようにしてもよい。
【００６８】
優待情報管理装置１０Ｂの商品評価管理部１１７は、顧客端末２０Ｂから、顧客の顧客ＩＤ、顧客名、当該商品の商品ＩＤ、商品名、及び評価日時等とともに評価点を受信すると、これらを設定したレコードを評価履歴１２４に登録する。また商品評価管理部１１７は、受信した上記商品ＩＤの商品についての評価点１８１６（一以上の顧客の当該商品についての評価点１８１６）を評価履歴１２４から取得して平均値を算出し、算出した平均値を当該商品の商品評価１２５の評価点平均値１９１４に設定する。
【００６９】
尚、商品評価管理部１１７は、例えば、顧客端末２０Ｂから評価点を受信する度に、評価点平均値１９１４を算出し直す。また例えば、商品評価管理部１１７は、顧客端末２０Ｂから同じ商品について評価点を所定数以上受信した場合に評価点平均値１９１４を算出し直す。また商品評価管理部１１７は、予め決められた時間間隔で評価点平均値１９１４を算出し直す。後二者の場合、評価点を受信する度に評価点平均値１９１４を算出し直す必要がないため、優待情報管理装置１０Ｂの負荷軽減を図ることができる。
【００７０】
優待情報管理装置１０Ｂの商品評価提供部１１８は、顧客端末２０Ｂから商品評価の提供要求を受信すると、提供要求とともに受信した商品カテゴリについて、商品情報１２２Ａから当該カテゴリに属する全商品の情報を取得し、取得した上記全商品の情報（リスト）を顧客端末２０Ｂに送信する。また商品評価提供部１１８は、評価履歴１２４から当該カテゴリに属する全商品の評価点１８１６を取得し、取得した上記全商品の評価点１８１６の情報（リスト）を顧客端末２０Ｂに送信する。また商品評価提供部１１８は、商品評価１２５から当該カテゴリに属する全商品の評価点平均値１９１４を取得し、取得した評価点平均値の情報（リスト）を顧客端末２０Ｂに送信する。顧客端末２０Ｂの商品評価出力部２１３は、商品評価提供部１１８から上記の各情報（リスト）を受信すると、受信した内容を商品評価入力表示画面２０００の商品評価入力表示領域２０２３に表示する。
【００７１】
ここで図２０に示すように、顧客端末２０Ｂの商品評価出力部２１３は、商品評価入力表示領域２０２３に、例えば、当該顧客への優待が発行済みの商品の表示色と優待が未発行の商品の表示色を色分けして（もしくは網掛等の方法で両者を区別した態様で）表示する。これにより、顧客は自身が試したことのある商品と、自分がまだ試していない商品を容易に把握することができる。また同図に示すように、商品評価出力部２１３は、商品評価入力表示領域２０２３に、例えば、当該顧客による評価済みの商品の表示色と当該顧客が評価未済の商品の表示色とを色分けして（もしくは網掛等の方法で両者を区別した態様で）表示する。これにより、顧客に多くの商品を試そうという動機を生じさせることができる。また顧客は他の顧客の評価を参考にしつつ次に優待を受けようとする商品を検討することができる。
【００７２】
以上に説明した実施例３の優待提供システム１によれば、顧客は興味のある商品カテゴリに属する商品のリストを容易に入手することができる。また他の顧客の評価を参考にしつつ次に優待を受けようとする商品を検討することができる。また提供者は、顧客にこれまでに試したことのない商品を認知させることができ、顧客に他の商品を試すきっかけを与えることができる。
【００７３】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００７４】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、データ等の情報は、メモリや、ハードディスク、ＳＳＤ（Solid State Drive）等の記録装置、または、ＩＣカード、ＳＤカード、ＤＶＤ等の記録媒体に置くことができる。
【００７５】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７６】
１  優待提供システム、５  通信ネットワーク、１０  優待情報管理装置、２０  顧客端末、３０  店舗端末、１００  情報処理装置、１１０  データ処理部、１１１  優待希望商品受付部、１１２  優待対象商品管理部、１１３  優待情報管理部、１１４  優待発行決定部、１１５  優待発行決定通知部、１１６  優待希望商品特定部、１１７  商品評価管理部、１１８  商品評価提供部、１２０  記憶部、１２１  顧客情報、１２２  商品情報、１２３  優待情報、１２４  評価履歴、１２５  商品評価、２１１  優待希望受付送信部、２１２  優待発行決定通知受信部、２１３  商品評価出力部、２１４  商品評価入力部、５００  優待希望商品入力画面、Ｓ９００  優待発行決定処理、Ｓ１５００  優待発行決定処理、２０００  商品評価入力表示画面
【図１】
2016224538.tif 000003
【図２】
2016224538.tif 000004
【図３】
2016224538.tif 000005
【図４】
2016224538.tif 000006
【図５】
2016224538.tif 000007
【図６】
2016224538.tif 000008
【図７】
2016224538.tif 000009
【図８】
2016224538.tif 000010
【図９】
2016224538.tif 000011
【図１０】
2016224538.tif 000012
【図１１】
2016224538.tif 000013
【図１２】
2016224538.tif 000014
【図１３】
2016224538.tif 000015
【図１４】
2016224538.tif 000016
【図１５】
2016224538.tif 000017
【図１６】
2016224538.tif 000018
【図１７】
2016224538.tif 000019
【図１８】
2016224538.tif 000020
【図１９】
2016224538.tif 000021
【図２０】
2016224538.tif 000022